(57)【特許請求の範囲】
【請求項１】
キャビネット本体に主ミラーを配設すると共に主ミラーの側部に前方に開口する収納部を設け、収納部の前方開口を開閉自在にする前面が鏡面となった副ミラーを収納部の前方に配置し、副ミラーの主ミラー側端部に、突出した棒体とこの棒体の突出先端に固定したランナとで構成される走行部を設け、前記ランナは、棒体の外径より長く形成された短辺と長辺とを有した平面視矩形状に形成され、短辺が副ミラーの幅方向と略平行になり且つ長辺が副ミラーの厚さ方向と略平行になるように棒体に固定され、収納部の横方向に亙るスライド通路部とこのスライド通路部の主ミラー側端部に接続し前方に突出した軸受部とで構成される、リップ片付きコ字状の断面形状を有するレール部を、そのリップ片間の開口が収納部の上下方向の中央側に向くようにして収納部の上下端部にそれぞれ配設し、前記リップ片間の開口は棒体が挿通可能でランナは挿通不可となる幅に形成され、前記スライド通路部の内幅はランナの短辺幅と同幅に形成されると共に、軸受部の内幅はランナの対角幅よりも広く形成されて、ランナが軸受部内で水平回転可能で且つスライド通路部内で回動不能となるようにレール部の内部に走行自在に内装され、副ミラーの走行部をレール部の主ミラー側端部に位置した際には、副ミラーが収納部の前部に沿うように位置されて収納部の前方開口を閉じてその鏡面が前方に向く状態と、副ミラーが収納部から前方に突出するように位置されて収納部の前方開口を開けてその鏡面が主ミラー側に向く状態とを選択可能にするべく副ミラーを走行部を中心とした回動自在に構成し、副ミラーの走行部をレール部の主ミラーの反対側端部に位置した際には、副ミラーが収納部から前方に突出するように位置されて収納部の前方開口を開けてその鏡面が主ミラー側に向く状態となるように構成してあることを特徴とするミラーキャビネット。
【発明の詳細な説明】
【技術分野】
【０００１】
本発明は、ミラーキャビネットに関するものである。
【背景技術】
【０００２】
従来から、洗面台の上部に配設されるようなミラーキャビネット１には、キャビネット本体２に前方に開口した収納部４を設け、この収納部４を開閉自在にするべく収納部４の前面にミラーを回動自在に配設したものがある。
【０００３】
たとえば図１０のように、キャビネット本体２の中央部に前方に面する主ミラー３を配置し、主ミラー３の両側部にそれぞれ収納部４を設け、各収納部４の前面に配置する副ミラー５をそれぞれその前面が鏡面６となるように形成し、各副ミラー５の主ミラー側端部をキャビネット本体２に枢支したミラーキャビネット１が知られている。このミラーキャビネット１では、各収納部４を閉じた状態では副ミラー５と主ミラー３とで広い一面鏡を得ることができ、また各収納部４を開けるべく副ミラー５を前方に突出する状態にすると、主ミラー３と副ミラー５とでミラーキャビネット１の前方に立つ使用者の正面及び両側面を映し出すことができ、すなわち三面鏡として使用できて便利である。しかしながら、上記三面鏡として使用している間は、ミラーキャビネット１の前方に立つ使用者と収納部４との間に前方に突出した状態の副ミラー５が立ちはだかるように位置することになるから、使用者が収納部４の収納物を出し入れしにくいという問題があった。
【０００４】
また図１１のように、各収納部４の前面の副ミラー５をその前後両面が鏡面６となるように形成し、この副ミラー５の主ミラー３の反対側端部をキャビネット本体２に枢支したミラーキャビネット１が知られている（たとえば特許文献１参照）。このミラーキャビネット１では、各収納部４を閉じた状態では副ミラー５の前面の鏡面６と主ミラー３とで広い一面鏡を得ることができ、また各収納部４を開けるべく副ミラー５を前方に突出する状態にすると、主ミラー３と副ミラー５の後面の鏡面６とで三面鏡として使用でき、そしてこのときには収納部４は副ミラー５に邪魔されずにミラーキャビネット１の前方に立つ使用者に臨んで開口するようにされており、使用者の収納部４への収納物の出し入れが容易にされている。しかしながら、副ミラー５はその前後両面が鏡面６となるように形成されて製造コストが高くかかるという問題があり、また、三面鏡として使用した際には主ミラー３と副ミラー５との間に収納部４が露出するものであって、つまり主ミラー３と副ミラー５とに視線を移す度に使用者の視界には必ず収納部４が入ってくるものであって、三面鏡としては良好な使い勝手を得られないという問題があった。
【特許文献１】特開２００３−１８９９８９号公報
【発明の開示】
【発明が解決しようとする課題】
【０００５】
本発明は上記の従来の問題点に鑑みて為したものであって、広い一面鏡としての使用形態と使用者の側面を映す多面鏡のような使用形態とを確保しつつも副ミラーの前後両面を鏡面にしないで製造コストを抑制でき、また、副ミラーに使用者の側面を映すようにして多面鏡のように使用した状態では、視界に収納部を入れないで良好な使い勝手の多面鏡を得ることができると共に収納部に収納物を容易に出し入れできるミラーキャビネットを提供することを課題とするものである。
【課題を解決するための手段】
【０００６】
上記課題を解決するために本発明の請求項１に係るミラーキャビネット１は、キャビネット本体２に主ミラー３を配設すると共に主ミラー３の側部に前方に開口する収納部４を設け、収納部４の前方開口を開閉自在にする前面が鏡面６となった副ミラー５を収納部４の前方に配置し、副ミラー５の主ミラー側端部に、突出した棒体１８とこの棒体１８の突出先端に固定したランナ１９とで構成される走行部７を設け、前記ランナ１９は、棒体１８の外径より長く形成された短辺と長辺とを有した平面視矩形状に形成され、短辺が副ミラー５の幅方向と略平行になり且つ長辺が副ミラー５の厚さ方向と略平行になるように棒体１８に固定され、収納部４の横方向に亙るスライド通路部２０とこのスライド通路部２０の主ミラー側端部に接続し前方に突出した軸受部２１とで構成される、リップ片８ａ付きコ字状の断面形状を有するレール部８を、そのリップ片８ａ間の開口が収納部４の上下方向の中央側に向くようにして収納部４の上下端部にそれぞれ配設し、前記リップ片８ａ間の開口は棒体１８が挿通可能でランナ１９は挿通不可となる幅に形成され、前記スライド通路部２０の内幅Ｈ２はランナ１９の短辺幅ｈ２と同幅に形成されると共に、軸受部２１の内幅Ｈ１はランナ１９の対角幅ｈ１よりも広く形成されて、ランナ１９が軸受部２１内で水平回転可能で且つスライド通路部２０内で回動不能となるようにレール部８の内部に走行自在に内装され、副ミラー５の走行部７がレール部８の主ミラー側端部に位置した際には、副ミラー５が収納部４の前部に沿うように位置されて収納部４の前方開口を閉じてその鏡面６が前方に向く状態と、副ミラー５が収納部４の主ミラー側端部から前方に突出するように位置されて収納部４の前方開口を開けてその鏡面６が主ミラー側に向く状態とを選択可能にするべく副ミラー５を走行部７を中心とした回動自在に構成し、副ミラー５の走行部７がレール部８の主ミラー３の反対側端部に位置した際には、副ミラー５が収納部４の主ミラー３の反対側端部から前方に突出するように位置されて収納部４の前方開口を開けてその鏡面６が主ミラー側に向く状態となるように構成してあることを特徴とする。
【０００７】
これによると、副ミラー５の走行部７がレール部８の主ミラー側端部に位置した際に、副ミラー５が収納部４の前部に沿うように位置されて収納部４の前方開口を閉じてその鏡面６が前方に向く状態を選択した場合には、副ミラー５の前面の鏡面６と主ミラー３の鏡面６とで使用者の正面を広く映す広い一面鏡を得ることができる。一方、副ミラー５の走行部７がレール部８の主ミラー側端部に位置した際に、副ミラー５が収納部４の主ミラー側端部から前方に突出するように位置されて収納部４の前方開口を開けてその鏡面６が主ミラー側に向く状態を選択した場合や、副ミラー５の走行部７がレール部８の主ミラー３の反対側端部に位置した際の、副ミラー５が収納部４の主ミラー３の反対側端部から前方に突出するように位置されて収納部４の前方開口を開けてその鏡面６が主ミラー側に向く状態となっている場合には、副ミラー５の前面の鏡面６に使用者の側面を映すようにできて主ミラー３と副ミラー５とを多面鏡のように使用可能にできる。すなわち、広い一面鏡としての使用形態と使用者の側面を映す多面鏡のような使用形態とを確保するのに副ミラー５には前面の鏡面６のみを必要とするものであって、つまり副ミラー５には前後両面に鏡面６を必要としないから、副ミラー５ひいてはミラーキャビネット１の製造コストを抑制することができたものである。
【０００８】
ここで、副ミラー５の走行部７がレール部８の主ミラー側端部に位置した際に、副ミラー５が収納部４から前方に突出するように位置されて収納部４の前方開口を開けてその鏡面６が主ミラー側に向く状態を選択した場合には、主ミラー３と副ミラー５との間に収納部４が露出することがなくて、収納部４が視界に入らずに主ミラー３と副ミラー５とを使い勝手の良い多面鏡として使用できるのである。また、副ミラー５の走行部７をレール部８に走行させて走行部７がレール部８の主ミラー３の反対側端部に位置した際にあっては、副ミラー５が収納部４の主ミラー３の反対側端部から前方に突出するように位置されて収納部４の前方開口を開けてその鏡面６が主ミラー側に向く状態となっていて、収納部４は副ミラー５に邪魔されずにミラーキャビネット１の前方に立つ使用者に臨んで開口するようにされており、使用者の収納部４への収納物の出し入れが容易にされている。つまり、副ミラー５に使用者の側面を映すようにして多面鏡のように使用する際には、良好な使い勝手の多面鏡を得ることができたり、ミラーキャビネット１の前方に立つ使用者が収納部４に収納物を容易に出し入れすることができたものである。また、副ミラー５はスライド通路部２０内にランナ１９が位置するときには回動不能であるため、使用者が収納部４に収納物を出し入れする際に誤って収納物や手などを副ミラー５に当ててしまっても、副ミラー５が回動して収納部４を閉じてしまう事態を避けることができ、収納部４への収納物の出し入れを安定して行うことができるという利点を有している。
【発明の効果】
【０００９】
本発明は、使用者の正面を広く映す一面鏡の使用形態と使用者の正面に加えて側面をも映す多面鏡のような使用形態とを確保しつつも副ミラーの前後両面を鏡面にしないで製造コストを抑制できるといった利点や、副ミラーに使用者の側面を映すようにして多面鏡のように使用した状態では、視界に収納部を入れないで良好な使い勝手の多面鏡を得ることができると共に収納部へ収納物を容易に出し入れできるという利点を有する。
【発明を実施するための最良の形態】
【００１０】
以下、本発明を添付図面に示す実施形態に基いて説明する。
【００１１】
図１乃至図８に本発明の実施の形態の例を示す。本例のミラーキャビネット１は、図２のようにボウル９やカラン１０を設けた洗面台１１の上部に取り付けて洗面化粧台１２を形成するものであり、キャビネット本体２の下部には洗面台１１の上部から立ち上がるような立ち上がり壁部１３が設けられ、キャビネット本体２の上部には洗面化粧台１２の前方を照らす照明部１４が設けられ、キャビネット本体２の立ち上がり壁部１３と照明部１４との間には収納物を収納する収納部４が設けられ、そして、上記収納部４を開閉すると共に洗面化粧台１２の前方に立つ使用者を映すための回動式の扉状のミラー１５が収納部４の前面に配設されている。詳しくは、立ち上がり壁部１３の前面には鏡面が形成されており、収納部４が設けられるキャビネット本体２の部位は立ち上がり壁部１３よりも前方に突出するように形成されており、この部位にキャビネット本体２の前面から後方へ凹没するような空所が形成され、この空所によって前方に開口する収納部４が構成されている。本例の収納部４は横方向に左収納部４ａと中央収納部４ｂと右収納部４ｃとを仕切って並設するようにして形成されている。また本例のミラー１５は、左収納部４ａを開閉する左扉体の前面に鏡面６を設けてなる左ミラー１５ａと、中央収納部４ｂを開閉する中央扉体の前面に鏡面６を設けてなる中央ミラー１５ｂと、右収納部４ｃを開閉する右扉体の前面に鏡面６を設けてなる右ミラー１５ｃとで構成されている。ここで、中央ミラー１５ｂはミラーキャビネット１の中央前方に立つ使用者の前面を映すものであって左ミラー１５ａや右ミラー１５ｃに比べて幅広に形成されると共に使用頻度も高いことから主ミラー３を構成しており、中央ミラー１５ｂに比べて幅狭に形成されると共に使用頻度も低い左ミラー１５ａや右ミラー１５ｃは副ミラー５を構成している。
【００１２】
本例のミラーキャビネット１では、主ミラー３及び副ミラー５に使用者の正面を広く映す一面鏡の使用形態と、主ミラー３に使用者の正面を映すと共に副ミラー５に使用者の側面を映す多面鏡（本例では副ミラー５が左ミラー１５ａ及び右ミラー１５ｃで構成されるから三面鏡）のような使用形態とを有している。すなわち、図２のように、各収納部４をそれぞれ閉じるように主ミラー３及び副ミラー５を位置させた場合には、主ミラー３及び副ミラー５が前方を向いて面一状態とされ、使用者の正面を広く映す広い一面鏡を得られるようになっている。また、図１のように、収納部４（４ｂ）を閉じるように主ミラー３を位置させると共に収納部４（４ａ，４ｃ）を開けるように副ミラー５を回動させて位置させた場合には、主ミラー３に使用者の正面を映すと共に副ミラー５に使用者の側面を映す三面鏡を得られるようになっている。
【００１３】
ところで、主ミラー３は蝶番を介してキャビネット本体２に回動自在に取り付けられているが、副ミラー５は図３のようにキャビネット本体２に取り付けられている。すなわち、副ミラー５にはその主ミラー側端部に走行部７が設けられており、副ミラー５の後方に位置する収納部４にはその横方向の略全長にわたるようにレール部８が設けられており、このレール部８に上記走行部７が走行自在に取り付けられている。詳しくは、副ミラー５の主ミラー側端部の上下端部はそれぞれ上下方向の中央側に切り欠いた切欠部１７が形成されており、走行部７は各切欠部１７から上方及び下方にそれぞれ突設されており、副ミラー５の主ミラー側端部から突出した棒体１８とこの棒体１８の突出先端に固定したランナ１９とで構成されている。ランナ１９は棒体１８の外径より長く形成された短辺と長辺とを有した平面視矩形状に形成されており、本例では短辺は副ミラー５の幅方向（鏡面６の面方向）と略平行に、長辺は副ミラー５の厚さ方向（鏡面６と略直交する方向）と略平行になるように棒体１８に固定されている。また、レール部８はリップ片８ａ付きコ字状の断面形状を有すると共に収納部４の横方向に亙るスライド通路部２０とこのスライド通路部２０の主ミラー側端部に接続して前方に突出した軸受部２１とで構成されており、リップ片８ａ間の開口を収納部４の上下方向の中央側に向けるようにして収納部４の上下端部にそれぞれ配設されている。このレール部８には副ミラー５の走行部７が走行自在に取付けられるが、具体的にはレール部８の内部にランナ１９が走行自在に内装されることで行われる。なお、レール部８のリップ片８ａ間の開口は棒体１８が挿通可能でレール部８の内部に内装されたランナ１９は挿通不可になっており、つまりレール部８の内部に内装されたランナ１９はリップ片８ａによってレール部８からの抜け止めがなされた状態にされている。また、本例のレール部８では、スライド通路部２０の内幅Ｈ２はランナ１９の短辺幅ｈ２と同幅に形成されており、軸受部２１の内幅Ｈ１はランナ１９の対角幅ｈ１よりも広く形成されて軸受部２１の内部でランナ１９が水平回転できるようにされている。
【００１４】
しかして、このレール部８を介してキャビネット本体２に取付けられた副ミラー５は図４のような動作をする。詳しくは、図５のように、収納部４（４ａ，４ｃ）を閉じた状態の副ミラー５は、走行部７がレール部８の軸受部２１に位置された状態で、収納部４（４ｂ）を閉じた状態の主ミラー３と同平面上に位置され、主ミラー３及び副ミラー５の各鏡面６によって段差の無い使用者の正面を広く映す広い一面鏡が得られるようになっている。このときには、副ミラー５の切欠部１７以外の上下端部の部位がレール部８のスライド通路部２０を目隠しし、ミラーキャビネット１が良好な外観を呈するようにされている。また、本例の主ミラー３及び副ミラー５の前面における上部及び下部には飾り框２２が横方向に亙って設けられており、主ミラー３及び副ミラー５で収納部４を閉じた状態では各飾り框２２が一直線状に並ぶようにされ、これによってもミラーキャビネット１の外観の向上が図られている。
【００１５】
また、レール部８の軸受部２１に位置した走行部７は軸受部２１内で水平回転自在であるから、図６のように、副ミラー５は、レール部８の軸受部２１に位置した走行部７を回転中心として、収納部４を開けるように前方に回動できる（矢印Ａ）。このときには、副ミラー５の鏡面６は収納部４を閉じた状態の主ミラー３の鏡面６と隣接した状態でミラーキャビネット１の前方に立つ使用者に向けて面するようにでき、主ミラー３に使用者の正面を映すと共に副ミラー５に使用者の側面を映す三面鏡を得られるようになっている。特にこの状態では、副ミラー５の鏡面６は収納部４を閉じた状態の主ミラー３の鏡面６と隣接した状態であって、すなわち、主ミラー３と副ミラー５との間に収納部４が露出することがなく、視界に収納部４が入らない使い勝手のよい三面鏡が得られるようになっている。
【００１６】
また、図７のように、レール部８の軸受部２１に位置した走行部７を回転中心として副ミラー５を続けて前方に回動させてミラーキャビネット１から略直交した状態で前方に突出するように位置させ、この状態の副ミラー５を矢印Ｂのように後方へ押し込み、上記押し込んだ副ミラー５の走行部７をスライド通路部２０内に挿入し、図８の矢印Ｃのようにミラーキャビネット１の横方向端部（主ミラー３の反対側）に向けてスライドさせて、走行部７をレール部８の主ミラー３の反対側端部に位置させることで、副ミラー５をキャビネット本体２から略直交して前方に突出させた状態で収納部４の主ミラー３の反対側端部に位置させることができる。このときには、副ミラー５の鏡面６は主ミラー側に向けて面していて三面鏡として使用可能であり、この副ミラー５が邪魔にならずに収納部４がミラーキャビネット１の前方に立つ使用者に臨んで開口するのであって使用者が収納部４に収納物を容易に出し入れできるようになっている。
【００１７】
このように本例のミラーキャビネット１は、図２のように、副ミラー５の走行部７がレール部８の主ミラー側端部に位置した際に、副ミラー５が収納部４の前部に沿うように位置されて収納部４の前方開口を閉じてその鏡面６が前方に向く状態を選択した場合には、副ミラー５の前面の鏡面６と主ミラー３の鏡面６とで使用者の正面を広く映す広い一面鏡を得ることができる。一方、図１（ａ）のように副ミラー５の走行部７がレール部８の主ミラー側端部に位置した際に、副ミラー５が収納部４の主ミラー側端部から前方に突出するように位置されて収納部４の前方開口を開けてその鏡面６が主ミラー側に向く状態を選択した場合や、図１（ｂ）のように副ミラー５の走行部７がレール部８の主ミラー３の反対側端部に位置した際の、副ミラー５が収納部４の主ミラー３の反対側端部から前方に突出するように位置されて収納部４の前方開口を開けてその鏡面６が主ミラー側に向く状態となっている場合には、副ミラー５の前面の鏡面６に使用者の側面を映すようにでき、主ミラー３と副ミラー５とを三面鏡のように使用可能にできる。すなわち、図２のように広い一面鏡としての使用形態と図１のように使用者の側面を映す三面鏡のような使用形態とを確保するのに副ミラー５には前面の鏡面６のみを必要とするものであって、つまり副ミラー５には図１１の従来例のように前後両面を鏡面６とすることを必要とするものではないから、副ミラー５ひいてはミラーキャビネット１の製造コストを抑制することができたものである。
【００１８】
また、図１（ａ）のように副ミラー５の走行部７がレール部８の主ミラー側端部に位置した際に、副ミラー５が収納部４から前方に突出するように位置されて収納部４の前方開口を開けてその鏡面６が主ミラー側に向く状態を選択した場合には、主ミラー３と副ミラー５との間に収納部４が露出することがなくて、収納部４が視界に入らずに主ミラー３と副ミラー５とを使い勝手の良い三面鏡として使用できるのであり、また、図１（ｂ）のように副ミラー５の走行部７をレール部８に走行させて走行部７がレール部８の主ミラー３の反対側端部に位置した際にあっては、副ミラー５が収納部４の主ミラー３の反対側端部から前方に突出するように位置されて収納部４の前方開口を開けてその鏡面６が主ミラー側に向く状態となっていて三面鏡として使用できるのは勿論、収納部４は副ミラー５に邪魔されずにミラーキャビネット１の前方に立つ使用者に臨んで開口するようにされ、使用者の収納部４への収納物の出し入れが容易にされている。つまり、図１のように副ミラー５に使用者の側面を映すようにして三面鏡のように使用する際には、図１（ａ）のように良好な使い勝手の三面鏡を得ることができたり、図１（ｂ）のようにミラーキャビネット１の前方に立つ使用者が収納部４に収納物を容易に出し入れすることができたものである。
【００１９】
また、本例の副ミラー５はスライド通路部２０内にランナ１９が位置するときには回動不能であって、つまり、副ミラー５が収納部４の主ミラー３の反対側端部に位置して収納部４が使用者に臨んで開口する状態では副ミラー５は回動不能である。しかして、使用者が収納部４に収納物を出し入れする際に誤って収納物や手などを副ミラー５に当ててしまっても、副ミラー５が回動して収納部４を閉じてしまう事態を避けることができ、収納部４への収納物の出し入れを安定して行うことができるという利点を有している。更に言うと、本例では、収納部４の主ミラー３の反対側端部に位置した副ミラー５は、キャビネット本体２から略直交した前方に突出するように位置されるのであり、副ミラー５がキャビネット本体２の側方に略突出しないようにされていて、副ミラー５がミラーキャビネット１の隣接物（たとえば壁や他の機器家具等）に当たってしまうことのないようにされているという利点も有している。なお、収納部４の主ミラー３の反対側端部に位置した副ミラー５のキャビネット本体２に対する突出角度は、本例のようにキャビネット本体２に略直交する角度に限定されるものではなく、棒体１８へのランナ１９の固定角度を変更してたとえばミラーキャビネット１の前方に立つ使用者に鏡面６が面するような角度（すなわち主ミラー側斜め前方方向）に向けるようにしても好ましい。
【００２０】
また、図９には本発明の実施の形態の他例を示す。本例は先例と比べて副ミラー５のキャビネット本体２への取付構造を異ならせている。詳しくは、本例の走行部７のランナ１９は棒体１８の外径よりも大きい外径の平面視円形状に形成されており、レール部８はスライド通路部２０と軸受部２１とが同断面でその内幅がランナ１９の外径と略同様に形成されている。しかして、本例の副ミラー５は軸受部２１に限らずレール部８の任意箇所で回動可能にされているのであり、つまり副ミラー５に設けた走行部７がレール部８に回転自在且つ走行自在に取付けられているのである。これによっても、先例と同様に、副ミラー５の走行部７がレール部８の主ミラー側端部に位置した際には、副ミラー５が収納部４の前部に沿うように位置されて収納部４の前方開口を閉じてその鏡面６が前方に向く状態と、副ミラー５が収納部４の主ミラー側端部から前方に突出するように位置されて収納部４の前方開口を開けてその鏡面６が主ミラー側に向く状態とが選択できるようにされており、また副ミラー５の走行部７がレール部８の主ミラー３の反対側端部に位置した際には、副ミラー５が収納部４の主ミラー３の反対側端部から前方に突出するように位置されて収納部４の前方開口を開けてその鏡面６が主ミラー側に向く状態にできるようにされている。しかして、本例でも、広い一面鏡としての使用形態と使用者の側面を映す多面鏡のような使用形態とを確保しつつも副ミラー５の前後両面を鏡面６にしないで製造コストを抑制でき、また、副ミラー５に使用者の側面を映すようにして三面鏡のように使用した状態では、視界に収納部４を入れないで良好な使い勝手の三面鏡を得ることができると共に収納部４に収納物を容易に出し入れできる、といった先例同様の作用効果が得られるものである。
【００２１】
なお、上記実施形態では副ミラー５が左ミラー１５ａと右ミラー１５ｃとで構成した例を挙げたが、副ミラー５が左ミラー１５ａまたは右ミラー１５ｃのいずれか一つであってもよいのは言うまでもない。また、主ミラー３の後方に収納部４を設けないミラーキャビネット１に対しても本発明を適用できるのは言うまでもない。
【図面の簡単な説明】
【００２２】
【図１】本発明の実施の形態の例のミラーキャビネットであって、（ａ）（ｂ）は三面鏡として使用した状態のミラーキャビネットの斜視図である。
【図２】同上のミラーキャビネットを備えた洗面化粧台のの斜視図である。
【図３】同上の副ミラーのキャビネット本体への取付け部分の一部を透視した斜視図である。
【図４】同上のミラーの動作説明図である。
【図５】副ミラーの動作説明図であって、（ａ）は平面図であり、（ｂ）は正面図である。
【図６】副ミラーの動作説明図であって、（ａ）は平面図であり、（ｂ）は正面図である。
【図７】副ミラーの動作説明図であって、（ａ）は平面図であり、（ｂ）は正面図である。
【図８】副ミラーの動作説明図であって、（ａ）は平面図であり、（ｂ）は正面図である。
【図９】本発明の実施の形態の例の要部の平面図である。
【図１０】従来技術の例のミラーキャビネットの斜視図である。
【図１１】従来技術の他例のミラーキャビネットの斜視図である。
【符号の説明】
【００２３】
１  ミラーキャビネット
２  キャビネット本体
３  主ミラー
４  収納部
５  副ミラー
６  鏡面
７  走行部
８  レール部
【図１】
0004600216.tif 000002
【図２】
0004600216.tif 000003
【図３】
0004600216.tif 000004
【図４】
0004600216.tif 000005
【図５】
0004600216.tif 000006
【図６】
0004600216.tif 000007
【図７】
0004600216.tif 000008
【図８】
0004600216.tif 000009
【図９】
0004600216.tif 000010
【図１０】
0004600216.tif 000011
【図１１】
0004600216.tif 000012